(57)【要約】【課題】光学式センサ等を不要にしつつ、誤書込みの防止及び装置全体のコンパクト化を図ることが可能なカード状記録媒体処理装置及びカード状記録媒体の処理方法を提供する。【解決手段】走行路と、走行路に臨むとともに、カード状記録媒体に所定の書込処理を実行する書込ヘッド６と、書込ヘッド６と離間して走行路に臨むとともに、磁気データの信号を再生する読取ヘッド５と、走行路を挟んで書込ヘッド６に対向配置されるとともに、書込ヘッド６が書込処理を実行するタイミング調整に用いられる書込みパルスを生成する書込みパルス生成手段（書込みパルス検出ヘッド）と、書込みパルスと読取ヘッド５による再生信号とを検出するとともに、書込みパルスに基づいて書込ヘッド６を制御する制御手段（ＣＰＵ１０１）と、を有し、制御手段は、書込みパルスの検出よりも前に、読取ヘッド５による再生信号を検出したときは、書込処理を無効化させる。【選択図】図１
2008083764.tif 000002
【特許請求の範囲】
【請求項１】
磁気データが所定方向に記録されるカード状記録媒体を走行させる走行路と、
前記走行路に臨むとともに、前記カード状記録媒体に所定の書込処理を実行する書込ヘッドと、
前記書込ヘッドと離間して前記走行路に臨むとともに、磁気データの信号を再生する読取ヘッドと、
前記走行路を挟んで前記書込ヘッドに対向配置されるとともに、前記書込ヘッドが書込処理を実行するタイミング調整に用いられる書込みパルスを生成する書込みパルス生成手段と、
前記書込みパルスと前記読取ヘッドによる再生信号とを検出するとともに、当該書込みパルスに基づいて前記書込ヘッドを制御する制御手段と、を有し、
前記制御手段は、前記書込みパルスの検出よりも前に、前記読取ヘッドによる再生信号を検出したときは、前記書込処理を無効化させることを特徴とするカード状記録媒体処理装置。
【請求項２】
前記読取ヘッドは、前記書込ヘッドからの距離が、前記カード状記録媒体の長手方向の長さよりも短くなる位置に配置されることを特徴とする請求項１記載のカード状記録媒体処理装置。
【請求項３】
前記読取ヘッドと、前記書込ヘッドとが前記走行路に対して同じ側に臨むように並列して配置されていることを特徴とする請求項１又は２記載のカード状記録媒体処理装置。
【請求項４】
前記読取ヘッドと、前記書込ヘッドとが前記走行路を挟んで、前記走行路に臨むように配置されていることを特徴とする請求項１又は２記載のカード状記録媒体処理装置。
【請求項５】
磁気データが所定方向に記録されるカード状記録媒体を走行させる走行路と、前記走行路に臨むとともに、前記カード状記録媒体に所定の書込処理を実行する書込ヘッドと、前記書込ヘッドと離間して前記走行路に臨むとともに、磁気データの信号を再生する読取ヘッドと、前記走行路を挟んで前記書込ヘッドに対向配置されるとともに、前記書込ヘッドが書込処理を実行するタイミング調整に用いられる書込みパルスを生成する書込みパルス生成手段と、前記書込みパルスと前記読取ヘッドによる再生信号とを検出するとともに、当該書込みパルスに基づいて前記書込ヘッドを制御する制御手段と、を有するカード状記録媒体処理装置で使用されるカード状記録媒体の処理方法であって、
電気的に接続された上位装置から書込コマンドを受信するステップと、
前記書込ヘッドと前記読取ヘッドとが磁気データの書込／読取可能状態で待機するステップと、
前記書込みパルスの検出よりも前に、前記読取ヘッドによる再生信号を検出したときは、前記書込処理を無効化させるステップと、を含むことを特徴とするカード状記録媒体の処理方法。
【発明の詳細な説明】
【技術分野】
【０００１】
本発明は、紙やプラスチックなどのカード状記録媒体に記録されたデータ（例えば磁気データ）を読み取るカード状記録媒体処理装置及びカード状記録媒体の処理方法に関するものである。
【背景技術】
【０００２】
従来からガイド（カード走行路）内においてカードを手動でスワイプさせて、カードに記録された情報を読み取る手動スワイプ式のデータスキャナが知られている。なお、本明細書でいう「スワイプ」とは、カード状の情報記録媒体をカード状記録媒体処理装置のガイド（カード走行路）に沿って手動でさっと走らせる動作をいう。
【０００３】
このような手動スワイプ式のデータスキャナを用いて、カードに記録された情報を正確に読み取るため、或いは、カードへの書き込みを行うためには、カードがスワイプされた際に、そのスワイプ方向を正しく判別する必要がある。
【０００４】
スワイプ方向を判別する方法としては、例えば、ガイド（カード走行路）の前後（長手方向）に２個の光学式センサを設置し、センサの遮光順によってスワイプ方向を判別する方法がある。ところが、光学式センサを用いた方法では、センサスイッチの設置や調整，回路パターンの準備，判別処理用ソフトウェアの準備等が必要になるため、設計段階から構想していないと後から機能を追加することが困難である。なお、この方法は、判別方法が光に頼るものであるため、例えば、屋外で使用する場合に太陽光等によって誤作動を起こす可能性がある。
【０００５】
そこで、光学式センサを用いることなくスワイプ方向を判別する方法として、例えば、読取／書込ヘッドで検出した磁気データを順方向及び逆方向にデコードし、開始符号及び終了符号が正しくデコードできた方向をスワイプ方向とする方法がある。この方法によれば、光学式センサやプリヘッド等のセンサ類が不要となるため、設計や回路的な制約が少なくなり、比較的自由に設計を行うことができる。
【０００６】
また、光学式センサを用いることなくスワイプ方向を判別する他の方法として、例えば、特許文献１に開示された方法もある。具体的には、まず、手動走査式データリーダ／ライタに、読取専用ヘッドと読取／書込ヘッドという２個のヘッドを設ける。また、これらのヘッド間距離をカード長よりも長くする。そして、読取専用ヘッドで磁気データを検出して方向判別を行い、スワイプ方向が正しかった場合にのみ、読取専用ヘッドと読取／書込ヘッドの間に設けられたストッパーが解放され、読取／書込ヘッドによってカードへの書込みが行われる。この方法によれば、上述同様、光学式センサやプリヘッド等のセンサ類が不要となる。
【０００７】
【特許文献１】特開平４−１０１２８９号公報
【発明の開示】
【発明が解決しようとする課題】
【０００８】
しかしながら、上述した光学式センサを用いない方法のうち、前者の方法（磁気データを順方向及び逆方向にデコードする方法）を用いてカードへの書込みを行うためには、スワイプ動作を２回行う必要がある。すなわち、１度目のスワイプで読取／書込ヘッドから磁気データを検出することにより方向の判別を行い、２度目のスワイプで読取／書込ヘッドから書込みを行う必要がある。そのため、１度目と２度目とでスワイプ方向が変わった場合には、それを検出することはできず、誤って書込みが行われてしまう。また、１度目のスワイプの後にカードが入れ替えられて、別のカードがスワイプされたとしても、やはりそれを検出することはできず、そのカードに誤って書込みが行われてしまう。
【０００９】
この点、上述した方法のうち、特許文献１に開示された後者の方法（２個のヘッドを設ける方法）を用いれば、１度のスワイプで方向判別と磁気データの書込みを実現できるので、カードに誤って書込みが行われるのを防ぐことができる。しかし、この方法は、ヘッド間の距離を、カードの長手方向の長さ（カード長）よりも長くとることが条件となるため、装置自体の寸法が大きくなってしまう。
【００１０】
本発明は、このような点に鑑みてなされたものであり、その目的は、光学式センサ等を不要にしつつ、誤書込みの防止及び装置全体のコンパクト化を図ることが可能なカード状記録媒体処理装置及びカード状記録媒体の処理方法を提供することにある。
【課題を解決するための手段】
【００１１】
以上のような課題を解決するために、本発明は、以下のものを提供する。
【００１２】
（１）  磁気データが所定方向に記録されるカード状記録媒体を走行させる走行路と、前記走行路に臨むとともに、前記カード状記録媒体に所定の書込処理を実行する書込ヘッドと、前記書込ヘッドと離間して前記走行路に臨むとともに、磁気データの信号を再生する読取ヘッドと、前記走行路を挟んで前記書込ヘッドに対向配置されるとともに、前記書込ヘッドが書込処理を実行するタイミング調整に用いられる書込みパルスを生成する書込みパルス生成手段と、前記書込みパルスと前記読取ヘッドによる再生信号とを検出するとともに、当該書込みパルスに基づいて前記書込ヘッドを制御する制御手段と、を有し、前記制御手段は、前記書込みパルスの検出よりも前に、前記読取ヘッドによる再生信号を検出したときは、前記書込処理を無効化させることを特徴とするカード状記録媒体処理装置。
【００１３】
本発明によれば、走行路と、走行路に臨んで離間して配置された書込ヘッド及び読取ヘッドと、書込ヘッドが書込処理を実行するタイミング調整に用いられる書込みパルスを生成する書込みパルス生成手段と、書込みパルスと読取ヘッドによる再生信号とを検出し、書込みパルスに基づいて書込ヘッドを制御する制御手段と、を有するカード状記録媒体処理装置で、書込みパルスの検出よりも前に、読取ヘッドによる再生信号を検出したときは、書込処理を無効化させることとしたから、カード状記録媒体が走行路を走行する方向が、書込ヘッドから見て読取ヘッドの方向であれば、カード状記録媒体に正しく磁気データが書き込まれる一方で、読取ヘッドから見て書込ヘッドの方向であれば、カード状記録媒体に磁気データの書込みは行われない（書込処理は無効化される）。
【００１４】
したがって、カード状記録媒体が走行路を走行する方向が正しい場合には、方向判別と磁気データの書込みを１度に行うことができる一方で、この方向が誤っている場合には、磁気データの誤書込みを防ぐことができる。
【００１５】
特に、本発明に係るカード状記録媒体処理装置では、制御手段が、書込みパルスと読取ヘッドによる再生信号とを検出するタイミングによって、方向判別を行っている。すなわち、書込ヘッドと読取ヘッドを離間させる距離は、これらのパルス・信号が別々に得られれば、いくら短くしても構わない（例えば、カード長よりも短くしてもよい）。したがって、走行路の長さを短くすることができ、ひいては、装置全体のコンパクト化を図ることができる。
【００１６】
なお、本発明は、方向判別に光学式センサを用いていないため、装置を簡易なものとすることができる。また、本発明は、書込処理の無効化を制御手段によってソフトウェア的に行うため、設計変更（機能変更）が容易である。
【００１７】
（２）  前記読取ヘッドは、前記書込ヘッドからの距離が、前記カード状記録媒体の長手方向の長さよりも短くなる位置に配置されることを特徴とするカード状記録媒体処理装置。
【００１８】
本発明によれば、読取ヘッドと書込ヘッドとの距離を、カード状記録媒体の長手方向の長さよりも短くなるようにしたから（例えば、カード状記録媒体の長手方向の長さの１／４以下）、カード状記録媒体処理装置をコンパクト化することができる。
【００１９】
（３）  前記読取ヘッドと、前記書込ヘッドとが前記走行路に対して同じ側に臨むように並列して配置されていることを特徴とするカード状記録媒体処理装置。
【００２０】
本発明によれば、読取りヘッドと書込ヘッドとを、走行路に対して同じ側に並列して配置することとしたから、簡易な構造で、片面にのみデータを記録するカード状記録媒体に対する誤書込みを防止することができる。
【００２１】
（４）  前記読取ヘッドと、前記書込ヘッドとが前記走行路を挟んで、前記走行路に臨むように配置されていることを特徴とするカード状記録媒体処理装置。
【００２２】
本発明によれば、読取ヘッドと書込ヘッドとが、走行路を挟んで配置されることとしたから、両面にデータを記録するカード状記録媒体であったとしても、誤書込みを防止することができる。
【００２３】
（５）  磁気データが所定方向に記録されるカード状記録媒体を走行させる走行路と、前記走行路に臨むとともに、前記カード状記録媒体に所定の書込処理を実行する書込ヘッドと、前記書込ヘッドと離間して前記走行路に臨むとともに、磁気データの信号を再生する読取ヘッドと、前記走行路を挟んで前記書込ヘッドに対向配置されるとともに、前記書込ヘッドが書込処理を実行するタイミング調整に用いられる書込みパルスを生成する書込みパルス生成手段と、前記書込みパルスと前記読取ヘッドによる再生信号とを検出するとともに、当該書込みパルスに基づいて前記書込ヘッドを制御する制御手段と、を有するカード状記録媒体処理装置で使用されるカード状記録媒体の処理方法であって、電気的に接続された上位装置から書込コマンドを受信するステップと、前記書込ヘッドと前記読取ヘッドとが磁気データの書込／読取可能状態で待機するステップと、前記書込みパルスの検出よりも前に、前記読取ヘッドによる再生信号を検出したときは、前記書込処理を無効化させるステップと、を含むことを特徴とするカード状記録媒体の処理方法。
【００２４】
本発明によれば、走行路と、走行路に臨んで離間して配置された書込ヘッド及び読取ヘッドと、書込ヘッドが書込処理を実行するタイミング調整に用いられる書込みパルスを生成する書込みパルス生成手段と、書込みパルスと読取ヘッドによる再生信号とを検出し、書込みパルスに基づいて書込ヘッドを制御する制御手段と、を有するカード状記録媒体処理装置で使用されるカード状記録媒体の処理方法で、電気的に接続された上位装置から書込コマンドを受信するステップと、書込ヘッドと読取ヘッドとが磁気データの書込／読取可能状態で待機するステップと、書込みパルスの検出よりも前に、読取ヘッドによる再生信号を検出したときは、書込処理を無効化させるステップと、を含むこととしたので、カード状記録媒体が走行路を誤った方向に走行した場合であっても、誤書込みを防ぐことができる。
【発明の効果】
【００２５】
以上説明したように、本発明によれば、書込ヘッドと読取ヘッドとを離間して配置し、適切でない場合には書込処理を無効化することとしたので、カード状記録媒体への誤書込みを防ぐことができる。また、書込ヘッドと読取ヘッドとの距離を短くとれば、装置をコンパクト化することができる。さらに、方向判別をソフトウェア的に制御手段によってコントロールするため、設計変更に柔軟に対応することが可能である。
【発明を実施するための最良の形態】
【００２６】
以下、本発明を実施するための最良の形態について、図面を参照しながら説明する。
【００２７】
図１は、本発明の実施の形態に係るデータスキャナ１を上から見たときの概要を示す断面模式図である。また、図２は、本発明の実施の形態に係るデータスキャナ１を横から見たときの概要を示す断面模式図である。特に、図２（ａ）は、データスキャナ１をスワイプ方向と直交する方向から見たときの図を示しており、図２（ｂ）は、データスキャナ１をスワイプ方向から見たときの図を示している。なお、本実施形態でいうデータスキャナ１は、カード状記録媒体処理装置の一例に相当する。
【００２８】
図１及び図２において、データスキャナ１は、断面形状がほぼコ字形状をなし（図２（ｂ）参照）、カード走行路を形成するフレーム２と、このフレーム２の一部（底部）として形成される走行基準面３と、カード４（カード状記録媒体の一例であって、磁気カード，ＩＣカードなど如何なる種類のものでもよい）上の磁気データを読み取る読取ヘッド５と、カード４に情報を書き込む書込ヘッド６と、カード４が書込ヘッド６の正面を通過するときに、カード４を圧送しながら回転するパッドローラ７と、書込みパルスを検出する書込みパルス検出ヘッド８と、を有している。
【００２９】
読取ヘッド５及び書込ヘッド６は、カード走行路を挟み、カード走行路に臨むように（カード４のスワイプ方向に）離間して配置されている。カード４が正常な方向（矢印方向）にスワイプされた場合、カード４は、書込ヘッド６の正面、読取ヘッド５の正面の順に通過する。
【００３０】
読取ヘッド５は、カード４上の磁気データの信号を再生する。具体的には、磁気ヘッド５は、カード４表面上の磁気ストライプに接触・摺動することによって、その磁気ストライプに記録された磁気データを読み取り、その磁気データの信号（再生信号）を生成する。なお、本実施形態では、読取ヘッド５は、読取専用の磁気ヘッドを用いているが、読み取り／書き込み兼用の磁気ヘッドを用いても構わない。
【００３１】
書込ヘッド６は、カード４に所定の書込処理を実行する。具体的には、書込ヘッド６は、磁気ギャップを挟んで対向配置された磁気コアと、磁気コアに巻回されたライト用巻き線及びリード用巻き線と、を有しており、ライト用巻き線には、カード４に対する磁気データの書き込み電流が流れ、リード用巻き線には、磁気ギャップ近傍の磁束変化に基づいて電磁誘導により電流が流れるようになっている。そして、ヘッドアンプ１０４（後述する図３参照）が、ＣＰＵ１０１（後述する図３参照）から磁気データのライト信号を受信し、これに基づいて書込ヘッド６のライト用巻き線に書き込み電流を流したとき、このライト用巻き線内に誘導磁束が発生するとともに、磁気コアに沿って形成された磁路にも誘導磁束が発生する。この誘導磁束は、カード４表面上の磁気ストライプに対して磁極変化をもたらす。これにより、書込ヘッド６はカード４に所定の書込処理を実行する。なお、本実施形態では、書込ヘッド６として、読み取り／書き込み兼用の磁気ヘッドを用いることとしたが、書き込み専用の磁気ヘッドを用いても構わない。
【００３２】
パッドローラ７及び書込みパルス検出ヘッド８は、カード走行路を挟んで書込ヘッド６に対向配置され、書込ヘッド６が書込処理を実行するタイミング調整に用いられる書込みパルスを生成する。具体的には、パッドローラ７は磁気ドラムの機能を果たし、書込みパルス検出ヘッド８は磁気検知センサの機能を果たす。すなわち、パッドローラ７が回転すると、書き込みパルス検出ヘッド８近傍の磁界が変化して、パッドローラ７の回転と同期した書込みパルス（パッドローラ７の回転速度に応じたタイミングパルス）が生成される。なお、パッドローラ７及び書込みパルス検出ヘッド８は、書込みパルス生成手段の一例に相当する。
【００３３】
図３は、本発明の実施の形態に係るデータスキャナ１の電気的構成を示すブロック図である。
【００３４】
図３において、本発明の実施の形態に係るデータスキャナ１は、主としてＣＰＵ１０１と、ＲＯＭ１０２と、ＲＡＭ１０３と、ヘッドアンプ１０４と、を備えている。また、ヘッドアンプ１０４には、書込ヘッド６、読取ヘッド５、書込みパルス検出ヘッド８が、それぞれ接続されている。
【００３５】
ＣＰＵ１０１は、データスキャナ１の制御中枢を司るものであって、データスキャナ１の統合的な制御を行う。ＲＯＭ１０２は、データスキャナ１の基本機能を支えるシステムプログラムを格納している。また、ＲＡＭ１０３は、ＣＰＵ１０１のワーキングエリアとして機能する。
【００３６】
また、ＣＰＵ１０１は、上述した書込みパルスと、読取ヘッド５による再生信号とを検出する。具体的に説明すると、書込みパルス検出ヘッド８によって生成された書込みパルスは、ヘッドアンプ１０４において増幅・波形整形され、ＣＰＵ１０１に送られる。そして、ＣＰＵ１０１は、この書込みパルスに基づいて、書込ヘッド６の制御を行う。例えば、書込ヘッド６が書込処理を開始するタイミングを制御したり、カード４に対する書込スピードを制御したり、書込みジッタ（速度変動）を補正したりする。一方で、読取ヘッド５による再生信号も、ヘッドアンプ１０４において増幅・波形整形され、ＣＰＵ１０１に送られる。なお、ヘッドアンプ１０４は、例えば、ドライバー回路（ＩＣ）やアンプ，ＢＰＦやコンパレータ等の電気要素から構成される。また、本実施形態では制御手段の一例としてＣＰＵ１０１を用いたが、例えばＭＰＵやＬＳＩなど書込ヘッド６を制御し得るものであれば如何なる電気要素を用いてもよい。
【００３７】
ここで、本実施形態に係るデータスキャナ１のＣＰＵ１０１は、書込みパルス検出ヘッド８によって生成された書込みパルスを検出する前に、読取ヘッド５による再生信号を検出したときには、書込ヘッド６への書込処理を無効化させる機能を有する。この無効化については、書込処理を禁止するような態様であれば如何なるものであってもよい。例えば書込ヘッド６の電力供給を遮断したり、ヘッドアンプ１０４から書込ヘッド６へ書き込み電流が供給されないようにしたりする等、ハードウェア的に書込処理を無効化させるものであってもよい。また、例えばＣＰＵ１０１からヘッドアンプ１０４に対し、上述したライト信号が送信されないようなプログラムを作成する等、ソフトウェア的に書込処理を無効化させるものであってもよい。本実施形態の情報処理の流れについて以下詳しく説明する。
【００３８】
図４は、本発明の実施の形態に係るデータスキャナ１において、書込処理を無効化させる際の情報処理の流れを示すフローチャートである。なお、本実施形態では、データスキャナ１は、例えばＡＴＭなどの上位装置と電気的に接続されているものとする。
【００３９】
図４において、まず、データスキャナ１のＣＰＵ１０１は、上位装置からの書込コマンドを受信する（ステップＳ１）。その後、読取ヘッド５及び書込みパルス検出ヘッド８を共に検出可能状態（いわゆるスタンバイ状態、待機状態）にする（ステップＳ２）。
【００４０】
次に、ステップＳ２のスタンバイ状態において、カード４がスワイプされると、データスキャナ１のＣＰＵ１０１は、読取ヘッド５による再生信号が検出されたか否かを判断する（ステップＳ３）。なお、この再生信号の検出にあたっては、再生信号のうち１ビット分を検出するだけでも構わない。
【００４１】
この再生信号が検出された場合には（ステップＳ３：ＹＥＳ）、ＣＰＵ１０１は、書込処理を無効化させる（ステップＳ６）。具体的には、上述したように、例えば、ヘッドアンプ１０４に対してライト信号を送信しないようにする。そして、この書込無効化処理が実行された後、本サブルーチンは終了する。
【００４２】
一方で、読取ヘッド５による再生信号が検出されなかった場合には（ステップＳ３：ＮＯ）、ＣＰＵ１０１は、次に書込みパルスが検出されたか否かを判断する（ステップＳ４）。この書込みパルスが検出された場合には（ステップＳ４：ＹＥＳ）、ＣＰＵ１０１は、書込ヘッド６を用いて書込処理を実行する（ステップＳ５）。そして、この書込処理が実行された後、本サブルーチンは終了する。
【００４３】
なお、データスキャナ１の構造上、書込ヘッド６を用いて書込処理が実行される前には、必ずパッドローラ７が回転するようになっている。すなわち、正常な方向にスワイプされた場合、ＣＰＵ１０１は、書込みパルスの検出をトリガとして、書込ヘッド６を用いた書込処理を実行することができるようになっている。
【００４４】
また、ステップＳ４の処理で、書込みパルスが検出されなかった場合には（ステップＳ４：ＮＯ）、処理はステップＳ２に戻され、スタンバイ状態（待機状態）が維持されることになる。
【００４５】
［実施形態の効果］
以上説明したように、本実施形態に係るデータスキャナ１によれば、１度のスワイプでカード４のスワイプ方向判別と磁気データの書込みを行うことができ（図４のステップＳ３〜ステップＳ５参照）、カード４に誤って磁気データの書込みが行われるのを防ぐことができる（図４のステップＳ３及びステップＳ６参照）。また、逆方向書込みされたカードが市場に流通するのを、防止することができる。
【００４６】
また、上述したように、読取ヘッド５による再生信号の検出にあたっては、再生信号のうち１ビット分を検出するだけで十分なので、読取ヘッド５と書込ヘッド６の距離を短くすることができる。具体的には、例えば図５に示すように、読取ヘッド５と書込ヘッド６との間の距離Ｌｈを、カード４の長手方向の長さＬｃの約４分の１に設定することができる。これにより、フレーム２の長手方向（カード４のスワイプ方向）の長さを短くすることができるので、結果的に、データスキャナ１をコンパクト化することができる。特に、ハンディ型スキャナに好適となる。
【００４７】
さらに、図４を用いて説明したように、カード４のスワイプ方向の判別、及び、書込処理の可否をＣＰＵ１０１によってコントロールすることができるため、判別方法の変更等をソフトウェア的に行うことが可能となり、設計変更（機能変更）に柔軟に対応することができる。
【００４８】
［変形例］
本実施形態では、読取ヘッド５と書込ヘッド６とを、カード走行路を挟んで配置することで、両面にデータを記録するカード４であっても誤書込みを防止することができるようにした。その他、読取ヘッド５と書込ヘッド６とを、カード走行路に対して同じ側に臨むように並列して配置してもよい。具体的には、図６に示すように、読取ヘッド５と書込ヘッド６とを並列して配置することにより、簡易な構造で、片面にのみデータを記録するカード４に対する誤書込みを防止することができる。
【００４９】
なお、図１では、読取ヘッド５は１箇所にのみ配置したが、例えば、２箇所配置することとしてもよい。具体的には、図７に示すように、読取ヘッド５の他に、追加読取ヘッド９を配置してもよい。追加読取ヘッド９を配置することにより、カード４が正常な方向にスワイプされた場合であっても、磁気データの読み取りが行われる。そのため、仮に磁気データの読み取りが行われなかった場合、例えばカード４の表裏を反転してスワイプされた場合等に、誤った書込みが行われるのを防ぐことができる。このように、図７に示すデータスキャナ１によれば、カード４のスワイプ方向に加えて、表裏の判別も行った上で書込みを行うことができる。なお、図７に示す場合であっても、読取ヘッド５及び追加読取ヘッド９によって、読取る磁気データを開始符号までと限定することによって、方向判別を迅速に行うことができ、また、データスキャナ１をコンパクト化することも可能である。
【産業上の利用可能性】
【００５０】
本発明に係るカード状記録媒体処理装置及びカード状記録媒体の処理方法は、１度のスワイプでカードのスワイプ方向判別と磁気データの書込みを行うことができる一方で、カードに誤って書込みが行われるのを防ぐことが可能なものとして有用である。
【図面の簡単な説明】
【００５１】
【図１】本発明の実施の形態に係るデータスキャナを上から見たときの概要を示す断面模式図である。
【図２】本発明の実施の形態に係るデータスキャナを横から見たときの概要を示す断面模式図である。
【図３】本発明の実施の形態に係るデータスキャナの電気的構成を示すブロック図である。
【図４】本発明の実施の形態に係るデータスキャナにおいて、書込処理を無効化させる際の情報処理の流れを示すフローチャートである。
【図５】ヘッド間の距離を短くすることにより、コンパクト化したデータスキャナを横から見たときの概要を示す模式図である。
【図６】本発明の別の実施形態に係るデータスキャナを上から見たときの概要を示す断面模式図である。
【図７】本発明の別の実施形態に係るデータスキャナを上から見たときの概要を示す断面模式図である。
【符号の説明】
【００５２】
１  データスキャナ
２  フレーム
３  走行基準面
４  カード
５  読取ヘッド
６  書込ヘッド
７  パッドローラ
８  書込みパルス検出ヘッド
９  追加読取ヘッド
【図１】
2008083764.tif 000003
【図２】
2008083764.tif 000004
【図３】
2008083764.tif 000005
【図４】
2008083764.tif 000006
【図５】
2008083764.tif 000007
【図６】
2008083764.tif 000008
【図７】
2008083764.tif 000009